【手続補正書】
【提出日】平成16年10月1日(2004.10.1)
【手続補正１】
【補正対象書類名】明細書
【補正対象項目名】請求項１
【補正方法】変更
【補正の内容】
【請求項１】
保存されている文書と、該保存されている文書について関連付けがユーザにより指定された文書とを関連文書として保存する文書管理用のサーバに接続されたクライアントであって、
前記サーバに対して所望の文書を指定させてその文書ファイルを取得しデータ記憶媒体に保存させる文書取得手段と、
前記文書の指定に併せて前記サーバに対して関連文書のリスト作成を要求しそのリストに含まれる関連文書のファイルを取得する関連文書取得手段と、
取得した関連文書のファイルを前記文書ファイルとともに前記データ記憶媒体に保存させる関連文書保存手段と、
を備えるクライアント。
【手続補正２】
【補正対象書類名】明細書
【補正対象項目名】請求項２
【補正方法】変更
【補正の内容】
【請求項２】
前記関連文書取得手段が取得する前記関連文書のリストには、親文書と子文書とが含まれており、前記関連文書保存手段は同一のフォルダに保存させる請求項１記載のクライアント。
【手続補正３】
【補正対象書類名】明細書
【補正対象項目名】請求項１２
【補正方法】変更
【補正の内容】
【請求項１２】
サーバと閲覧用アプリケーションがインストールされたクライアントとを接続した文書管理システムであって、
前記サーバは、保存されている文書と、該保存されている文書について関連付けがユーザにより指定された文書とを関連文書としてそのリンク情報を保存する手段とを備え、
前記クライアントは、前記サーバに対して所望の文書を指定させてその文書ファイルを取得しデータ記憶媒体に保存させる文書取得手段と、前記文書の指定に併せて前記サーバに対して関連文書のリスト作成を要求しそのリストに含まれる関連文書のファイルを取得する関連文書取得手段と、取得した関連文書のファイルを前記文書ファイルとともに前記データ記憶媒体に保存させる関連文書保存手段と、
を備える文書管理システム。
【手続補正４】
【補正対象書類名】明細書
【補正対象項目名】請求項１３
【補正方法】変更
【補正の内容】
【請求項１３】
前記クライアントにおける前記関連文書取得手段が取得する前記関連文書のリストには、親文書と子文書とが含まれており、前記関連文書保存手段は同一のフォルダに保存させる請求項１２記載の文書管理システム。
【手続補正５】
【補正対象書類名】明細書
【補正対象項目名】請求項２３
【補正方法】変更
【補正の内容】
【請求項２３】
保存されている文書と、該保存されている文書について関連付けがユーザにより指定された文書とを関連文書として保存する文書管理用のサーバに接続されたクライアント用のコンピュータにインストールされ、このコンピュータに、
前記サーバに対して所望の文書を指定させてその文書ファイルを取得しデータ記憶媒体に保存させる文書取得機能と、
前記文書の指定に併せて前記サーバに対して関連文書のリスト作成を要求しそのリストに含まれる関連文書のファイルを取得する関連文書取得機能と、
取得した関連文書のファイルを前記文書ファイルとともに前記データ記憶媒体に保存させる関連文書保存機能と、
を実行させるプログラムが格納されたコンピュータ読取り可能な記憶媒体。
【手続補正６】
【補正対象書類名】明細書
【補正対象項目名】請求項２４
【補正方法】変更
【補正の内容】
【請求項２４】
前記関連文書取得機能が取得する前記関連文書のリストには、親文書と子文書とが含まれており、前記関連文書保存機能は同一のフォルダに保存させる請求項２３記載のプログラムが格納されたコンピュータ読取り可能な記憶媒体。
【手続補正７】
【補正対象書類名】明細書
【補正対象項目名】００２０
【補正方法】変更
【補正の内容】
【００２０】
【課題を解決するための手段】
請求項１記載の発明は、保存されている文書と、該保存されている文書について関連付けがユーザにより指定された文書とを関連文書として保存する文書管理用のサーバに接続されたクライアントであって、前記サーバに対して所望の文書を指定させてその文書ファイルを取得しデータ記憶媒体に保存させる文書取得手段と、前記文書の指定に併せて前記サーバに対して関連文書のリスト作成を要求しそのリストに含まれる関連文書のファイルを取得する関連文書取得手段と、取得した関連文書のファイルを前記文書ファイルとともに前記データ記憶媒体に保存させる関連文書保存手段と、を備える。
【手続補正８】
【補正対象書類名】明細書
【補正対象項目名】００２１
【補正方法】変更
【補正の内容】
【００２１】
従って、ユーザがサーバに保存されている所望の文書を指定してクライアントのデータ記憶媒体に書き出す際に、親子の関係で関連付けが指定された関連文書のファイルも併せて取得し、そのファイルを先の文書ファイルとともにデータ記憶媒体に保存させるので、関連文書に関する情報の欠如がなく、当該文書ファイルを参照する上で、関連文書も必要に応じて簡単に参照することができる。
【手続補正９】
【補正対象書類名】明細書
【補正対象項目名】００２２
【補正方法】変更
【補正の内容】
【００２２】
請求項２記載の発明は、請求項１記載のクライアントにおいて、前記関連文書取得手段が取得する前記関連文書のリストには、親文書と子文書とが含まれており、前記関連文書保存手段は同一のフォルダに保存させる。
【手続補正１０】
【補正対象書類名】明細書
【補正対象項目名】００２３
【補正方法】変更
【補正の内容】
【００２３】
従って、関連文書として親文書と子文書とが同一フォルダに保存されるので、関連文書の管理が容易となる。
【手続補正１１】
【補正対象書類名】明細書
【補正対象項目名】００４２
【補正方法】変更
【補正の内容】
【００４２】
請求項１２記載の発明は、サーバと閲覧用アプリケーションがインストールされたクライアントとを通信ネットワークを介して接続した文書管理システムであって、前記サーバは、保存されている文書と、該保存されている文書について関連付けがユーザにより指定された文書とを関連文書としてそのリンク情報を保存する手段とを備え、前記クライアントは、前記サーバに対して所望の文書を指定させてその文書ファイルを取得しデータ記憶媒体に保存させる文書取得手段と、前記文書の指定に併せて前記サーバに対して関連文書のリスト作成を要求しそのリストに含まれる関連文書のファイルを取得する関連文書取得手段と、取得した関連文書のファイルを前記文書ファイルとともに前記データ記憶媒体に保存させる関連文書保存手段と、を備える。
【手続補正１２】
【補正対象書類名】明細書
【補正対象項目名】００４３
【補正方法】変更
【補正の内容】
【００４３】
従って、ユーザがサーバに保存されている所望の文書を指定してクライアントのデータ記憶媒体に書き出す際に、親子の関係で関連付けが指定された関連文書のファイルも併せて取得し、そのファイルを先の文書ファイルとともにデータ記憶媒体に保存させるので、関連文書に関する情報の欠如がなく、当該文書ファイルを参照する上で、関連文書も必要に応じて簡単に参照することができる。
【手続補正１３】
【補正対象書類名】明細書
【補正対象項目名】００４４
【補正方法】変更
【補正の内容】
【００４４】
請求項１３記載の発明は、請求項１２記載の文書管理システムにおいて、前記クライアントにおける前記関連文書取得手段が取得する前記関連文書のリストには、親文書と子文書とが含まれており、前記関連文書保存手段は同一のフォルダに保存させる。
【手続補正１４】
【補正対象書類名】明細書
【補正対象項目名】００４５
【補正方法】変更
【補正の内容】
【００４５】
従って、関連文書として親文書と子文書とが同一フォルダに保存されるので、関連文書の管理が容易となる。
【手続補正１５】
【補正対象書類名】明細書
【補正対象項目名】００６４
【補正方法】変更
【補正の内容】
【００６４】
請求項２３記載の発明のコンピュータ読取り可能な記憶媒体は、保存されている文書と、該保存されている文書について関連付けがユーザにより指定された文書とを関連文書として保存する文書管理用のサーバに接続されたクライアント用のコンピュータにインストールされ、このコンピュータに、前記サーバに対して所望の文書を指定させてその文書ファイルを取得しデータ記憶媒体に保存させる文書取得機能と、前記文書の指定に併せて前記サーバに対して関連文書のリスト作成を要求しそのリストに含まれる関連文書のファイルを取得する関連文書取得機能と、取得した関連文書のファイルを前記文書ファイルとともに前記データ記憶媒体に保存させる関連文書保存機能と、を実行させるプログラムが格納されている。
【手続補正１６】
【補正対象書類名】明細書
【補正対象項目名】００６５
【補正方法】変更
【補正の内容】
【００６５】
従って、ユーザがサーバに保存されている所望の文書を指定してクライアントのデータ記憶媒体に書き出す際に、親子の関係で関連付けが指定された関連文書のファイルも併せて取得し、そのファイルを先の文書ファイルとともにデータ記憶媒体に保存させるので、関連文書に関する情報の欠如がなく、当該文書ファイルを参照する上で、関連文書も必要に応じて簡単に参照することができる。
【手続補正１７】
【補正対象書類名】明細書
【補正対象項目名】００６６
【補正方法】変更
【補正の内容】
【００６６】
請求項２４記載の発明は、請求項２３記載のプログラムが格納されたコンピュータ読取り可能な記憶媒体において、前記関連文書取得機能が取得する前記関連文書のリストには、親文書と子文書とが含まれており、前記関連文書保存機能は同一のフォルダに保存させる。
【手続補正１８】
【補正対象書類名】明細書
【補正対象項目名】００６７
【補正方法】変更
【補正の内容】
【００６７】
従って、関連文書として親文書と子文書とが同一フォルダに保存されるので、関連文書の管理が容易となる。
【手続補正１９】
【補正対象書類名】明細書
【補正対象項目名】０２０５
【補正方法】変更
【補正の内容】
【０２０５】
【発明の効果】
請求項１記載の発明のクライアントによれば、ユーザがサーバに保存されている所望の文書を指定してクライアントのデータ記憶媒体に書き出す際に、親子の関係で関連付けが指定された関連文書のファイルも併せて取得し、そのファイルを先の文書ファイルとともにデータ記憶媒体に保存させるようにしたので、関連文書に関する情報の欠如がなく、当該文書ファイルを参照する上で、関連文書も必要に応じて簡単に参照することができる。
【手続補正２０】
【補正対象書類名】明細書
【補正対象項目名】０２０６
【補正方法】変更
【補正の内容】
【０２０６】
請求項２記載の発明によれば、請求項１記載のクライアントにおいて、関連文書として親文書と子文書とが同一フォルダに保存されるので、関連文書の管理が容易となる。
【手続補正２１】
【補正対象書類名】明細書
【補正対象項目名】０２１６
【補正方法】変更
【補正の内容】
【０２１６】
請求項１２記載の発明の文書管理システムによれば、ユーザがサーバに保存されている所望の文書を指定してクライアントのデータ記憶媒体に書き出す際に、親子の関係で関連付けが指定された関連文書のファイルも併せて取得し、そのファイルを先の文書ファイルとともにデータ記憶媒体に保存させるようにしたので、関連文書に関する情報の欠如がなく、当該文書ファイルを参照する上で、関連文書も必要に応じて簡単に参照することができる。
【手続補正２２】
【補正対象書類名】明細書
【補正対象項目名】０２１７
【補正方法】変更
【補正の内容】
【０２１７】
請求項１３記載の発明によれば、請求項１２記載の文書管理システムにおいて、関連文書として親文書と子文書とが同一フォルダに保存されるので、関連文書の管理が容易となる。
【手続補正２３】
【補正対象書類名】明細書
【補正対象項目名】０２２７
【補正方法】変更
【補正の内容】
【０２２７】
請求項２３記載の発明の記憶媒体によれば、ユーザがサーバに保存されている所望の文書を指定してクライアントのデータ記憶媒体に書き出す際に、親子の関係で関連付けが指定された関連文書のファイルも併せて取得し、そのファイルを先の文書ファイルとともにデータ記憶媒体に保存させるようにしたので、関連文書に関する情報の欠如がなく、当該文書ファイルを参照する上で、関連文書も必要に応じて簡単に参照することができる。
【手続補正２４】
【補正対象書類名】明細書
【補正対象項目名】０２２８
【補正方法】変更
【補正の内容】
【０２２８】
請求項２４記載の発明によれば、請求項２３記載の記憶媒体において、関連文書として親文書と子文書とが同一フォルダに保存されるので、関連文書の管理が容易となる。